(57)【要約】      （修正有）【課題】音声制御による硬さ調整可能なマルチレンジスマートマットレスを提供する。【解決手段】マルチレンジスマートマットレスは、上から下へ順次設置された上層ソフトパッド１、硬さ調整装置２、１層又は多層の下層ハードパッド３を備え、調整装置は、マットレスの横方向の中線に対して対称的に設置された２つの調整ユニット２１を備え、調整ユニットは、リードを介して音声制御モジュール２２に接続されかつ音声制御モジュールにより起動・停止を制御され、調整ユニットの両側には、それに接続された調整フレーム２３が対称的に設置され、調整フレームには、調整フレームとともに伸縮する弾性メッシュベルト２４が設置されている。マットレスの硬さを高精度で調整することができ、マットレスがさまざまな利用者のニーズに対応できるようになる。また、音声制御モジュールを増設することで、操作モードを簡素化させ、使用者が容易に調整できる。【選択図】図１
0003224388.tif 000002
【実用新案登録請求の範囲】
【請求項１】
音声制御による硬さ調整可能なマルチレンジスマートマットレスであって、
上から下へ順次設置された上層ソフトパッド、硬さ調整装置、硬さの異なる１層又は多層の下層フォームパッドを備え、前記調整装置は、マットレスの横方向の中線に対して対称的に設置された２つの調整ユニットを備え、調整ユニットは、リードを介して音声制御モジュールに接続されかつ音声制御モジュールにより起動・停止を制御され、前記調整ユニットの両側には、それに接続された調整フレームが対称的に設置され、前記調整フレームには、前記調整フレームとともに伸縮する弾性メッシュベルトが設置されることを特徴とする音声制御による硬さ調整可能なマルチレンジスマートマットレス。
【請求項２】
前記調整ユニットは、駆動モータを備え、前記駆動モータの出力軸には、それに同軸線となるようにスクリューが設置され、駆動モータから離れた前記スクリューの一端が調整フレームにネジ接続されることを特徴とする請求項１に記載の音声制御による硬さ調整可能なマルチレンジスマートマットレス。
【請求項３】
前記調整フレームは、縦方向チェーン式ロッドと、縦方向チェーン式ロッドの両端に垂直に接続された横方向調整ロッドとを備え、前記横方向調整ロッドは、スクリューの軸線方向に沿って設置されるとともに、スクリューにネジ接続され、前記縦方向チェーン式ロッドにおいて、縦方向チェーン式ロッドが下へ一方向に折り曲げることと円形状として収納されることしかできないように、セグメントのヒンジ連結部には、ストッパーが設置されることを特徴とする請求項１に記載の音声制御による硬さ調整可能なマルチレンジスマートマットレス。
【請求項４】
前記下層ハードパッドは、高硬度普通フォーム又は高反発フォームの材質であり、かつ真空吸引により圧縮されてロールとして収納できるため、容易に輸送できることを特徴とする請求項１〜３のいずれか１項に記載の音声制御による硬さ調整可能なマルチレンジスマートマットレス。
【請求項５】
弾性メッシュベルトの短手方向には、弾性メッシュベルトに固定して接続された複数の弾性補強リブが設置されていることを特徴とする請求項４に記載の音声制御による硬さ調整可能なマルチレンジスマートマットレス。
【請求項６】
前記音声制御モジュールには、少なくとも３つ以上の硬さ調整レンジが設定されていることを特徴とする請求項４に記載の音声制御による硬さ調整可能なマルチレンジスマートマットレス。
【考案の詳細な説明】
【技術分野】
【０００１】
本考案は、日用品の分野に関し、特に音声制御による硬さ調整可能なマルチレンジスマートマットレスに関する。
【背景技術】
【０００２】
人々の物質的な生活水準の継続的な改善に伴い、ますます多くの人々が睡眠の質を重視化している。睡眠は、人の生活の３分の１を占め、毎日の仕事、生活の質や効率に直接影響し、マットレスは、人々の日常生活に欠かせない家庭用品である。人々の生活水準の継続的な向上に伴い、マットレスの外観、硬さ、快適さ、機能性や製品の品質に対する要求が高まっている。マットレスは、また多機能化へ発展し続けるものの、人それぞれの要求が異なり、このような要求をすべて満足するのが困難なことであり、特にホテルの場合、利用者が様々であり、高級ホテルの消費者は、特に要求が厳しい。
【０００３】
従来技術では、マットレスは、一般に、スプリングマットレス、パームマットレス、ラテックスマットレス、水マットレス、およびエアマットレスに分けられる。これらのマットレスのうち、スプリングマットレスが最も一般的に使用されている。現在、多くのマットレスが市販されているが、いずれも、硬さが固定されたものであり、従来のマットレスには、通常、上面と下面を切り替えることで２種類の硬さを変換するしかなく、消費者が購入したら、不快に感じた場合にも、硬さをこれ以上微妙に調整することができない。
【考案の概要】
【考案が解決しようとする課題】
【０００４】
本考案の目的は、人々の好みに応じてマットレスの硬さを調整できる音声制御による硬さ調整可能なマルチレンジスマートマットレスを提供することにある。
【課題を解決するための手段】
【０００５】
上記目的を達成させるために、本考案の技術案は、以下のとおりである。
【０００６】
音声制御による硬さ調整可能なマルチレンジスマートマットレスであって、上から下へ順次設置された上層ソフトパッド、硬さ調整装置、下層又は硬さの異なる多層パットを備え、前記調整装置は、マットレスの横方向の中線に対して対称的に設置された２つの調整ユニットを備え、調整ユニットは、リードを介して音声制御モジュールに接続されかつ音声制御モジュールにより起動・停止を制御され、前記調整ユニットの両側には、それに接続された調整フレームが対称的に設置され、前記調整フレームには、前記調整フレームとともに伸縮する弾性メッシュベルトが設置される。
【０００７】
さらに、前記調整ユニットは、駆動モータを備え、前記駆動モータの出力軸には、それに同軸線となるようにスクリューが設置され、駆動モータから離れた前記スクリューの一端が調整フレームにネジ接続される。
【０００８】
さらに、前記調整フレームは、縦方向チェーン式ロッドと、縦方向チェーン式ロッドの両端に垂直に接続された横方向調整ロッドとを備え、前記横方向調整ロッドは、スクリューの軸線方向に沿って設置されるとともに、スクリューにネジ接続され、前記縦方向チェーン式ロッドにおいて、縦方向チェーン式ロッドが下へ折り曲げるしかできず、且つマットレスが容易に輸送するために真空吸引により圧縮されてロールとして収納されるように、セグメントのヒンジ連結部には、ストッパーが設置される。
【０００９】
さらに、前記下層又は硬さの異なる多層のパットは、高硬度普通フォーム又は高反発フォームの材質であり、且つ真空吸引により圧縮されてロールとして収納される。
【００１０】
さらに、弾性メッシュベルトの短手方向には、弾性メッシュベルトに固定して接続された複数の弾性補強リブが設置されている。
【００１１】
さらに、前記音声制御モジュールには、少なくとも３つ以上の硬さ調整レンジが設定されている。
【考案の効果】
【００１２】
有益な効果は、以下のとおりである。上記構造によれば、マットレスの硬さ度の高精度の調整を可能にすることで、マットレスが様々な人のニーズに対応できるようにする。また、音声制御モジュールを増設することで、本考案の操作モードを効果的に簡素化させ、使用者が容易に調整できる。
【図面の簡単な説明】
【００１３】
【図１】本考案の構造模式図である。
【図２】図１の上面図である。
【考案を実施するための形態】
【００１４】
以下、本考案の実施例における図面を参照しながら、本考案の実施例における技術案を明瞭且つ完全に説明するが、勿論、説明する実施例は、本考案の実施例の一部に過ぎず、すべての実施例ではない。本考案における実施例に基づいて、当業者が創造的な努力を必要とせずに想到しうるほかのすべての実施例は、本考案の保護範囲に属する。
【００１５】
図１、図２に示した音声制御による硬さ調整可能なマルチレンジスマートマットレスは、上から下へ順次設置された上層ソフトパッド１、硬さ調整装置２、及び下層又は硬さの異なる多層のパット３を備える。そのうち、上層ソフトパッドは、たとえば、ラテックス、普通フォーム、メモリフォームなど、柔らかさが高い材料で製造される。下層又は多層ハードパッドは、たとえば、高硬度普通フォーム又は高反発フォーム、綜絖枠、プレートフレームなど、上層ソフトパッドよりも硬さが高い材料で製造される。硬さ調整装置２の具体的な構造には、本考案の横方向中線に対して対称的に設置された２つの調整ユニット２１と、リードを介して調整ユニットに接続されて調整ユニット２１の起動・停止及び正転・反転を制御するための音声制御モジュール２２とを備える。また、調整ユニットの両側には、該調整ユニットに接続された２つの調整フレーム２３がさらに対称的に設置され、該調整フレームは、調整ユニットの作用により横方向において水平に移動できる。２つの調整フレームには、上記両方に固定して接続された弾性メッシュベルト２４が設置されている。具体的には、該弾性メッシュベルトは、弾性収縮性を有する糸材を用いて編成されるものであり、上層ソフトパッドに対して支持作用を果たす。作動するときに、該弾性メッシュベルトは、調整フレームが外へ広がるにつれて引っ張られ、逆には、調整フレームが引き込むにつれて緩まる。また、本実施形態では、音声認識モジュールとして、音声コマンドを認識したり調整ユニットへコマンドを伝送したりするために、深セン唯創知音電子有限公司製のＷＴＫ６９００Ｂ０２シリーズの製品を使用する。
【００１６】
特定の実施形態では、前記調整ユニットは、たとえば、シリンダ構造、ラックアンドピニオン構造など、様々な方式で両側から同期して延出し又は引っ込むことができる。製造コストの削減及び伝動精度向上のために、本実施例では、ボールねじ構造が使用されている。具体的には、調整ユニット２１は、同軸線の２本の出力軸を有する駆動モータ２１１を備え、駆動モータの２つの出力軸には、該出力軸と同軸線であるスクリュー２１２が固定して設置される。駆動モータ２１１から離れた該スクリューの一端が調整フレームにネジ接続され、スクリューを正反転するように駆動することで、調整フレームをスクリューの軸線方向に沿って移動させるという目的が達成されている。
【００１７】
上記実施形態のさらなる改良として、調整フレーム２３は、マットレスの長手方向に平行に設置された縦方向チェーン式ロッド２３１と、縦方向チェーン式ロッドに垂直となるとともに、縦方向チェーン式ロッドの両端に固定して接続された横方向調整ロッド２３２とを備え、縦方向チェーン式ロッドから離れた該横方向調整ロッドの一端がスクリュー２１２にネジ接続される。縦方向チェーン式ロッドは、先端と末端がそれぞれヒンジ連結された複数のセグメント２３１１から構成され、該ヒンジ連結された先端部には、軸方向において延出したストッパー２３１２が設置され、２枚のセグメントが１８０°となる状態では、該ストッパーは、前のセグメントの末端部に当接して、２枚のセグメントの相対回動を防止する。それによって、複数のセグメントから構成される縦方向チェーン式ロッドは、平坦でストレートな状態では、さらに曲がらない。縦方向チェーン式ロッドへストッパー２３１２の方向と同じ力が印加されると、セグメントは、チェーンのストッパーによる抵抗力を受けなくなり、それによって、セグメントは、水平に支持されること、及び一方向で下へ曲がるという能力を確保する。
【００１８】
上記実施形態のさらなる改良として、本考案をより容易に折り曲げて、保管スペースを減少させるために、下層又は多層ハードパッドを高硬度普通フォーム又は高反発フォーム材質とする。便利に輸送するために本考案を折り曲げる必要がある場合、まず、高度真空で圧縮し、次に折り曲げてロールとして収納し、それによって、本考案に必要な保管スペースを減少させるとともに、手動ローリングによる作業負荷を低減させる。
【００１９】
上記実施形態のさらなる改良として、弾性メッシュベルトの強度をさらに高めて、部分的に一度負荷されたら回復できないという現象を回避するために、均等に配置された複数の弾性補強リブが弾性メッシュベルトの短手方向に設置され、特定の実施形態では、該弾性補強リブは、補強スプリングであってもよい。
【００２０】
上記実施形態のさらなる改良として、使用者が容易に操作できるように、音声制御モジュール２２には、少なくとも３つ以上の硬さ調整レンジが設定されている。
【００２１】
本考案の作動原理は、以下のとおりである。使用者は、マットレスの硬さが好ましくないため調整しようとする場合、音声を介してそれを柔らかくする又は硬くするようなコマンドを送信すると、音声制御モジュールは、コマンドを受信すると、調整ユニットに起動コマンドを送信して、対応する回転作動を行うようにその駆動モータを制御し、それによって、スクリューを回動駆動して、調整フレームを連動してスクリューの軸線方向に移動させる。それと同時に、調整フレームに取り付けられた弾性メッシュベルトは、調整フレームが広がるにつれて硬くなり、又は調整フレームが引っ込むにつれて柔らかくなり、それによって、調整弾性メッシュベルトが上層ソフトパッドに対して支持作用を果たすという効果を奏し、その結果、使用者は、マットレスが柔らかくなり又は硬くなると感じられる。
【符号の説明】
【００２２】
１．上層ソフトパッド
２．硬さ調整装置
２１．調整ユニット
２１１．駆動モータ
２１２．スクリュー
２２．音声制御モジュール
２３．調整フレーム
２３１．縦方向チェーン式ロッド
２３１１．セグメント
２３１２．ストッパー
２３２．横方向調整ロッド
２４．弾性メッシュベルト
２５．弾性補強リブ
３．下層ハードパッド
【図１】
0003224388.tif 000003
【図２】
0003224388.tif 000004